【事件の表示】
　平成　７年商標登録願第１２９４３４号拒絶査定に対する審判事件について、次のとおり審決する。
【結　論】
　本件審判の請求は、成り立たない。
【理　由】
第１　本願商標
　本願商標は、別掲のとおり「ＦＲＡＮＣＯＡＲＭＡＮＩ」の欧文字を横書きした構成よりなり、第１８類「原革，原皮，なめし皮，毛皮，革ひも，かばん類，袋物，携帯用化粧道具入れ，かばん金具，がま口口金，傘，ステッキ，つえ，つえ金具，つえの柄，乗馬用具，愛玩動物用被服類」を指定商品として、平成７年１２月１５日に登録出願されたものである。
　
第２　原査定の理由の要点
　本願商標は、その構成中に、イタリアのデザイナ一「ＧＩＯＲＧＩＯ　ＡＲＭＡＮＩ」が商品「被服・靴・バッグ」等に使用して著名な商標「ＡＲＭＡＮＩ」の文字を有するものであるから、これを本願指定商品について使用する場合、あたかもそれが上記の者の業務に係る商品又はその者と何らかの関係がある者の商品であるかの如く、商品の出所について混同を生じさせるおそれがある。
　したがって、本願商標は、商標法第４条第１項第１５号に該当する。
　
第３　請求人の主張の要点
１　本願商標の一部に「ＡＲＭＡＮＩ」の文字が含まれていることは確かであるが、ファッション関係のデザイナーやブランドの場合、たとえば、「ＡＬＥＸＡＮＤＥＲ　ＪＵＬＩＡＮ」と「ＡＬＥＸＡＮＤＥＲ　ＭｃＱＵＥＥＮ」や「ＣＡＬＶＩＮ　ＫＬＥＩＮ」と「ＲＯＬＡＮＤ　ＫＬＥＩＮ」のように、他人の別商標であるにもかかわらず、姓か名のどちらか一方が同一の例は珍しくないものである。また、姓か名のどちらか一方を強調するのは適当でない。
２　「ＶＡＬＥＮＴＩＮＯ」がイタリア人のありふれた名前であるように、「ＡＲＭＡＮＩ」も特定のデザイナーと決めつけることはできない。
　また、特許庁の過去の審査、審決例でも一体のものとして判断された例が多い。
３　「ＧＩＯＲＧＩＯ　ＡＲＭＡＮＩ（ジョルジョ・アルマーニ）」は、その関連ブランド「ＥＭＰＯＲＩＯ　ＡＲＭＡＮＩ（エンポリオ・アルマーニ）」を含めて「ＡＲＭＡＮＩ（アルマーニ）」単独の商標の使用はしていないから、本願商標は商品の出所の混同は生じない。
　
第４　当審の判断
１　当審において、「ＧＩＯＲＧＩＯ　ＡＲＭＡＮＩ」、「ジョルジオ　アルマーニ」、「Ｇｉｏｒｇｉｏ　Ａｒｍａｎｉ」、「ジョルジョ・アルマーニ」、「ジョルジュ・アルマーニ」、「ＡＲＭＡＮＩ」、「アルマーニ」、「ＥＭＰＯＲＩＯ　ＡＲＭＡＮＩ」、「エンポリオ　アルマーニ」に関して行った職権による証拠調べの結果、以下の事実が認められる。
（１）「男の一流品大図鑑」（株式会社講談社　昭和５３年７月２０日　発行）に、「ジョルジュ・アルマーニ」、「Ｇｉｏｒｇｉｏ　Ａｒｍａｎｉ＜イタリア ＞」の項に「イタリアのラルフ・ローレンとよばれるデザイナーです。・・・」と紹介されている。
（２）「舶来ブランド事典　’８４　ＴＨＥ　ＢＲＡＮＤ」（サンケイ　マーケティング　昭和５８年９月２８日　発行）に、「ジョルジォ・アルマーニ」の「特徴」の項に、「・・・着る人の個性を生かしきる才能とセンスの良さがアルマーニの身上で、それが見事に開花した商品群といえよう。・・・ミリタリースタイル、肩パット入りのブレザー、皮素材を用いたジャケットなどがとりわけ好評で、ジョルジォ・アルマーニはまさにカジュアル時代の最先端を行くファッションだ。」及び「種類【インポート】紳士／コート、セーター、ネクタイ、ベスト、シャツ、スーツ　婦人／レインコート、オーバーコート、ジャケット、スーツ、パンツ、ブルゾン、スカート、セーター、ブラウス、マフラー、ベスト、帽子」の記載がそれぞれされているものである。
（３）「男の一流品大図鑑’８５年版」（株式会社講談社　昭和５９年１２月１日　発行）に、「ＢＬＯＵＳＯＮ／ブルゾン」の項に、「ＧＩＯＲＧＩＯ　ＡＲＭＡＮＩ」、「ジョルジオ・アルマーニ（イタリア）」の記載及び「レザーブルゾン　１５０、０００円」の記載がされている。
同じく、「ＮＥＣＫＴＩＥ／ネクタイ」の項に、「ＧＩＯＲＧＩＯ　ＡＲＭＡＮＩ」、「ジョルジオ・アルマーニ（イタリア）」の記載及び「右　中　シルク１００％　各１３、０００円　左　ウール１００％　１３、０００円」の記載がそれぞれされているものである。
（４）「世界の一流品大図鑑’８５年版」（株式会社講談社　昭和６０年５月２５日　発行）に、「婦人服／Ｌａｄｉｅｓ　Ｗｅａｒ」の項に、「ＧＩＯＲＧＩＯ　ＡＲＭＡＮＩ」、「ジョルジオ・アルマーニ（イタリア）」の記載及び「ジャケット、スカート、ブラウス」等の商品の記載及び写真が掲載されている。
（５）「世界の一流品大図鑑　’９１年版」（株式会社講談社　平成３年５月２３日　発行）に、「ＬＡＤＩＥＳ’Ｓ　ＷＥＡＲ」の項に「ジャケット、ショートパンツ、ドレス」と記載され、「ＧＩＯＲＧＩＯ　ＡＲＭＡＮＩ」及び「ジョルジオ　アルマーニ（イタリア）」と記載されている。
同じく、「ＭＥＮ’Ｓ　ＷＥＡＲ」の項に、「スーツ」と記載され、「ＧＩＯＲＧＩＯ　ＡＲＭＡＮＩ」及び「ジョルジオ　アルマーニ（イタリア）」と記載されている。
同じく、「ＳＷＥＡＴＥＲ／ＣＡＲＤＩＧＡＮ」の項に、「セーター」と記載され、「ＧＩＯＲＧＩＯ　ＡＲＭＡＮＩ」及び「ジョルジオ　アルマーニ（イタリア）」が記載されている。
（６）「外国周知商標集（伊編）」に、「ＧＩＯＲＧＩＯ　ＡＲＭＡＮＩ」、「ＥＭＰＯＲＩＯ　ＡＲＭＡＮＩ」が、わが国における登録商標として掲載されていること。
（７）「外国ブランド専用使用権者名簿」（社団法人　日本輸入団体連合会）に、凡例として「本書は、外国ブランドの模倣商品の輸入、製造及び流通を阻止するため、政府関係機関並びに全国都道府県消費者センター等の、模倣商品に関する紹介や相談等の便に供するために刊行したものである。」との文が記載され、また、「ＧＩＯＲＧＩＯ　ＡＲＭＡＮＩ」はブランドであり、「ジョルジオアルマーニ　ジャパン株式会社」が、専用使用権者として記載されている。
（８）「外国ブランド権利者名簿」（社団法人　日本輸入団体連合会　１９９９年３月刊行）において、凡例として「本書は、外国ブランドの模倣商品の輸入、製造及び流通を阻止するため、政府関係機関並びに全国都道府県消費者センター等の、模倣商品に関する照会や相談等の便に供するために刊行したものである。」との文が記載され、また、「ＧＩＯＲＧＩＯ　ＡＲＭＡＮＩ」及び「ＥＭＰＯＲＩＯ　ＡＲＭＡＮＩ」が、ブランドであり、「ジョルジオ　アルマーニ　ジャパン株式会社」が、専用使用権者名として記載されている。
（９）「服飾辞典」（文化出版局　昭和５４年３月５日第１刷　発行）の「ジョルジョ・アルマーニ［Ｇｉｏｒｇｉｏ　Ａｒｍａｎｉ，１９３５〜］」の項に、「イタリア北部のエミリアに生まれる。医者になるため大学に行くが中退。２０歳ごろはサラリーマン、その後リナシェンテ（百貨店）に入社し、はじめて男物の服づくりを手がけ、モードの面白さを知る。その後、ヒルトンで７年間、高級紳士服の仕事を続け、１９７５年にはじめて『アルマーニ』という自分の店を開く。紳士物のエッセンスを婦人服にいかし、わずか３年間で、『ジャケットの王様』といわれるほど名がひろまる。レーンコート、シャツ、皮革製品、ニットなど、スポーティ感覚の服は現代の趣向に合い、今やミラノ・アルタ・モーダ・プロンタ（オート・クチュールのプレタ・ポルテの意であるが、彼はオート・クチュールの服はつくらない）のコレクションでは最も人気のあるスチリストの一人である。作品は、デコントラクテな傾向の都会派向きのもの、つまり、マニッシュな装いを好む人やジーンズ党にも人気がある。またアンチ・ハリウッド派の映画衣装などもアルマーニのものが多く、最近の映画では『サタディ・ナイト・フィーバー』の衣装を担当する。ミラノに住み、１日８時間から９時間を仕事に費やす。何よりも仕事が好き、というアルマーニである。」との紹介記事が掲載 されていること。
（１０）「田中千代服飾事典」（同文書院　１９８１年４月２５日新増補　発行）に、「ジョルジョ・アルマーニ［Ｇｉｏｒｇｉｏ　Ａｒｍａｎｉ］」の項に、１９３５年イタリアの北部のエミリアに生まれ、医大へ入学したが、３年で中退。方向転換してミラノの大百貨店ラ・リナシェンテの紳士服専門にバイヤーとして入社し、その後テーラードに定評のあるセルッティ社の紳士服デザイナーになった。そして、１９７３年独立し、ミラノにアルマーニ社を設立した。最も得意とするのは、アルマーニ・スーツと呼ばれるベーシックなスーツである。・・・」と記載されていること。
（１１）「世界の一流品大図鑑’８１年版」（株式会社講談社　昭和５６年５月２５日　発行）に、「一流ブランド物語」の記事の「ＧＩＯＲＧＩＯ　ＡＲＭＡＮＩ」、「ジョルジョ・アルマーニ」の「キング・オブ・ミラノ」の項に「映画『アメリカン・ジゴロ』で主演したリチャード・ギアの衣装は、ジョルジョ・アルマーニがデザインしたものでした。アルマーニを特徴づけるＶシェープモデルを特徴づけるぶ厚いパッドと重心の低い細いえりはジゴロの、華やかで、浮き草のようにはかない生きざまを象徴していました。この映画のデザインを担当した時点で、アルマーニはすでに「キング・オブ・ミラノ」の名をほしいままにしていました。ミラノといえば、イタリアのモードの都。伝統、優雅、上品といった事柄を重んじるパリにくらべ、ミラノは新しいだけに、軽快、斬新、明るさが売りものです。そんなミラノで「キング」とよばれ、あるいは「婦人もののサンローラン」に対して「紳士もののアルマーニ」とよばれるまでになったのですが、もちろん、ここまでくるには、多くの努力とチャンスをものにする決断が必要でした。ジョルジョ・アルマーニは１９３６年、北イタリアのエミリアで生まれました。医科大学入学を夢みて、勉強に精出した時期もありますが、家庭の事情で、２０歳のとき、ミラノのデパート・リナシェンテに就職しました。ここで、紳士服の仕入れ部門に配属されたのが、彼の一生を決めることになったのです。当時、イタリアの紳士服地メーカーとして、ぐんぐん成長していたのが、セルッティ社でした。同社は１８８１年創業の毛織物の老舗でしたが、１９５３年、わずか１９歳のニノ・セルッティが三代目社長となり、超高級品志向の路線に切りかえ、世界中に名前を拡めつつありました。積極派のセルッティは原料メーカーにあきたらず、１９６０年代の初め、服飾部門に進出、ヒットマン社を設立します。このヒットマン社に、アルマーニは出向の形で参画しました。営業マンからデザイナーへの道が開けたのでした。ヒットマン社には八年間在籍しました。後に「ヨーロッパのメンズモードの学校」とよばれるようになるのですが、それは、同社から経営者セルッティはもとより、アルマーニ、ロベルト・ブルーノ、シルビオ・ファーバなどが巣立っているからです。セルッティが１９６９年、パリのロワイヤル通りに初めてのブティックを開き、大成功したのを横目に見ながら、アルマーニも独立の機をうかがっていました。・・・」と記載されていること。
（１２）「Ｔｈｅ一流品」（読売新聞社　１９８６年４月１５日　発行）に、「ＧＩＯＲＧＩＯ　ＡＲＭＡＮＩ」【ジョルジョ・アルマーニ＝イタリア】の項に、長らく紳士服畑を歩いてきたアルマーニが、初めて婦人服のコレクションを発表したのは１９７５年のこと。素材選び、仕立て冴えを発揮して、働く女性のためのラインが生まれた。ミリタリールックや肩にパッドを入れたブレザーなどもアルマーニの発想。・・・」との記載及び「１９８３年に発表、フルーティとフローラルブーケの香り」の記載及び「ＡＲＭＡＮＩ」の文字が入った香水の写真が掲載されている。
（１３）「Ｈａｎａｋｏ」（株式会社マガジンハウス　発行　１９８８年１１月２４日号）に、表紙中央部に「羨望！アルマーニの服」との記載がある。
同じく、「時代を超えるイタリアの感性　憧憬のアルマーニ」の「”似合う自分”をめざすことが、人生の目的になる服ージョルジオ　アルマーニ」の項に「・・・アルマーニの軌跡を簡単にご紹介しましょう。・・・アルマーニはファッションを”人生をよりよく生きるための手段”にまで昇華させたという点で、・・・」の記載及び「ブラウス、キュロットスカート、ジャケット、手袋、帽子、ストール、ブーツ」の記載、「傘、バッグ、ベルト、財布」等の商品の写真が掲載され、さらに、「アルマーニ　ブティック」の写真が掲載され、その写真中に「ＧＩＯＲＧＩＯ　ＡＲＭＡＮＩ」と記載されている。
　また、「一歩手前の人へ。　デフュージョンブランド、エンポリオ。」の項に、「ＥＭＰＯＲＩＯ　ＡＲＭＡＮＩ」（「ＥＭＰＯＲＩＯ」と「ＡＲＭＡＮＩ」の文字の間には、中央に「ＧＡ」の文字を白抜きにした左向きの鷲とおぼしき図形が配されている。）及び「ブラウス、コート、ブローチ、帽子、シューズ、セーター、マフラー、バッグ、ワンピース、ブルゾン、キュロットスカート」等と記載され、「ジョルジオ　アルマーニが大人のステイタスだとしたら、エンポリオはその一歩手前の若者たちのために作られたデフュージョン（普及版）ライン。エンポリオ＝市場の名のとおり、幅広いアイテム（スポーツウェアからイブニングまで）を手頃な価格で提供。・・・」と記載されている。 
（１４）「ＦＡＳＩＯＮ　ＳＨＯＰＰＩＮＧ　ＢＩＢＬＥ　’８５　流行ブランド図鑑」株式会社講談社　昭和６０年５月２５日　発行）に、「ＧＩＯＲＧＩＯＡＲＭＡＮＩ」「ジョルジオ・アルマーニ」の「帝国の築き上げたライフ・スタイルは、永遠不滅の騎士道に似る。」の項に、「ファッションに興味のある人間でＧ・アルマーニの名前を知らないなら、死んでもらいましょ。イタリアン・カジュアルと対峙する伝統のイタリアン・テーラード界に、それこそ彗星のごとく登場したのがＧ・アルマーニだったのだ。これは１９７５年のこと。この年のコレクションで、”キング・オブ・ブレザー”と呼ばれ、１９７７年「ルオモボーグ誌」にプレゼンテーションとして発表したミニタリー・ファッションが全世界に大きな反響をあたえ、アルマーニの名声を不動のものにしたのだった。・・・」との記載及び「スーツ、ストライプシャツ、ベルト、プリントネクタイ」等の記載がされている。
（１５）「ＭＥＮ’Ｓ　ＣＬＵＢ　１９９０年８月号」（株式会社婦人画報社　１９９０年８月１日　発行）に、「２０世紀最高のファッションデザイナー　ジョルジオ・アルマーニに学ぶ。」の項に、「１９７４年、ファッションの震源地、ミラノで彗星のごとくデビューしたジョルジオ・アルマーニは、わずか１５年間で、イタリアはもとより、世界のファッション界を席捲したといえよう。スーツの王者ブレザーを着た国王キング・オブ・ミラノ、マエストロ・ディ・マエストロ＜巨匠の中の巨匠＞など、アルマーニに魅せられた数々の呼び名が示すように、彼なくして、ミラノいや世界のファッションが語れないほど強大な影響力を持ったデザイナーといえる。・・・現在はジョルジオ・アルマーニ、エンポリオ　アルマーニ、マーニ、アルマーニジーンズなどの代表的ブランドのほか、ジュニアクロージング、アンダーウェア、アクセサリー類、フレグランスなどもデザインしている。・・・」との記載、さらに、「ジョルジオ・アルマーニの最新コレクション。」、「クラシックなスーツ。アルマーニ流の正統派スタイル。」「ジョルジオ・アルマーニはトラディショナリストのためにスタイルやパターンはクラシックでありながら高度なテーラーリング技術を駆使して贅沢な素材使いによってモダンな感覚を表現した服を発表している。」「着心地の良さとシンプルなエレガンスを追求したアルマーニのプロフェッショナルの服。」と記載され
ている。
　同じく、「対象を限定しないエンポリオの服たち。」、「アルマーニの入門服としての高いエンポリオ　アルマーニ、幅広い商品構成も大きな魅力だ。」との見出しのページには、「ジョルジオ・アルマーニのヤングブランドとして位置づけられているエンポリオ　アルマーニ。エンポリオとはイタリア語で『市場』の意味で、年齢、職業、クラスを問わないデザインコンセプトで、ブランド誕生後９年間しかたっていないが、瞬く間に世界中で人気を集め、確固たる地位を築いた。比較的手頃な価格構成も大きな特徴で、若者がアルマーニのフィロソフィーを知るファーストステップの服としての意味合いも強い。エンポリオのショップの１号店は１９８１年、ミラノでオープン、今では、ヨーロッパ、アメリカ、日本を含むアジアで１００店ものショップを持つほどに成長した。今シーズンのコレクションでは、アルマーニが昔から得意とするミリタリーティストの服が目についた。その辺の事情をアルマーニはこう説明してくれた。「エンポリオとアルマーニジーンズの服に関しては、・・・」と記載されている。
（１６）「英和商品名辞典」（株式会社研究社　１９９０年　発行）の「Ｇｉｏｒｇｉｏ　Ａｒｍａｎｉ　ジョルジオアルマーニ」の項に、「イタリアＭｉｌａｎｏのデザイナーＧｉｏｒｇｉｏ　Ａｒｍａｎｉ（１９３４（３３，３５？）ー）のデザインした紳士・婦人既製服その他の衣料品・靴・革製バッグ・革小物・ベルト・香水など、そのメーカー、・・・近年、価格帯を少し低めに設定したブランドＥｍｐｏｒｉｏ　Ａｒｍａｎｉを市場化しており人気を得ている。・・・」と記載されている。
　同じく、「Ａｒｍａｎｉ　アルマーニ」の項に、「→Ｇｉｏｒｇｉｏ　Ａｒｍａｎｉ．」と記載されている。
（１７）「エフピー　６月号」（株式会社学習研究社　１９９１年６月１日　発行）に、表紙に「アルマーニの世界戦略」との特集記事の紹介がされている。
（１８）「世界の一流品大図鑑　’９５年版」（株式会社講談社　平成７年５月１０日　発行）に、「ＬＡＤＩＥＳ’Ｓ　ＷＥＡＲ」の項に、「ＧＩＯＲＧＩＯＡＲＭＡＮＩ」及び「ジョルジオ　アルマーニ（イタリア）」と掲載され、「スーツ、ブラウス、ベスト、パンツ、スカーフ、キュロット」と記載されている。
　同じく、「ＭＥＮ’Ｓ　ＷＥＡＲ」の項に、「ＧＩＯＲＧＩＯ　ＡＲＭＡＮＩ」及び「ジョルジオ　アルマーニ（イタリア）」と記載され、「ジャケット、パンツ、シャツ」と記載されている。
　同じく、「ＰＥＲＦＵＭＥ」の項に、「ＧＩＯＲＧＩＯ　ＡＲＭＡＮＩ」及び「ジョルジオ　アルマーニ（イタリア）」と記載されている。
　同じく、「ＭＥＮ’Ｓ　ＰＥＲＦＵＭＥ」の項に、「ＧＩＯＲＧＩＯ　ＡＲＭＡＮＩ」、「ジョルジオ　アルマーニ（イタリア）」と記載され、「オードトワレ」及び「オードトワレスプレー」と記載され、該商品の写真が掲載され、該商品の写真中には、それぞれ「ＡＲＭＡＮＩ」が記載されている。
（１９）「世界の一流品大図鑑　’９６」（株式会社講談社　平成８年５月１２日　発行）に、「ＷＥＡＲ［紳士服・婦人服］」の「ＧＩＯＲＧＩＯ　ＡＲＭＡＮＩ」及び「ジョルジオ　アルマーニ（イタリア）」の項に、「ニットジャケット、ニットパンツ、ドレス、ジャケット、パンツ」と記載され、「・・・余分な装飾を排除し、着る人の個性を大切にするアルマーニの新作は、スリムなフォルムとモノトーンのシャープなコントラストが大きな特徴です。」と記載され、「シャツ、スーツ、ベスト」及び「オードトワレ　スプレー」と記載され、さらに、「ＧＩＯＲＧＩＯ　ＡＲＭＡＮＩ」及び「ジョルジオ　アルマーニ（イタリア）」の項に「サングラス」と記載及び「ミラノ・ファッション界の”マエストロ・ディ・マエストロ”と称えられ、もっとも偉大なデザイナーと呼ばれるアルマーニ。・・・」と記載されている。
（２０）「世界の一流品大図鑑　’９８」（株式会社講談社　１９９８年５月３０日　発行）に、「ＬＡＤＩＥＳ’Ｓ　ＷＥＡＲ／婦人服」及び「ＬＡＤＩＥＳ’Ｓ　ＷＥＡＲ」の「ＧＩＯＲＧＩＯ　ＡＲＭＡＮＩ」及び「ジョルジオ　アルマーニ（イタリア）」の項に、「ジャケット、パンツ、スカート」等が記載されている。
　同じく、「ＭＥＮ’Ｓ　ＷＥＡＲ」の「ＧＩＯＲＧＩＯ　ＡＲＭＡＮＩ」及び「ジョルジオ　アルマーニ（イタリア）」の項に「スーツ、シャツ」と記載されている。
　同じく、「ＫＮＩＴ　ＷＥＡＲ」の「ＧＩＯＲＧＩＯ　ＡＲＭＡＮＩ」及び「ジョルジオ　アルマーニ（イタリア）」の項に「パンツ」と記載されている。
　同じく、「ＢＬＯＵＳＥ・ＳＨＩＲＴ」の「ＧＩＯＲＧＩＯ　ＡＲＭＡＮＩ」及び「ジョルジオ　アルマーニ（イタリア）」の項に、「シャツジャケット、シャツ」と記載されている。
　同じく、「ＮＥＣＫＴＩＥ」の「ＧＩＯＲＧＩＯ　ＡＲＭＡＮＩ」及び「ジョルジオ　アルマーニ（イタリア）」の項に「今季のアルマーニは、織りについてこだわり、幅の狭いネクタイをリバイバルさせました。・・・」と記載されている。
（２１）「『ニセブランド商品にご注意！！』のパンフレット」（社団法人　日本輸入団体連合会　１９９９年）に、「海外有名ブランド品のニセモノがふえています」の見出しのもと、「・・・バーバリー、アルマーニの衣料、ロレックスの腕時計などといった海外有名ブランド商品は、消費者の間で根強い人気があることから、これに便乗してニセモノの横行が目立っております。・・・」と記載されている。
２　「ＧＩＯＲＧＩＯ　ＡＲＭＡＮＩ」及び「ＡＲＭＡＮＩ」などの商標の著名性について
　以上の事実によれば、「ＧＩＯＲＧＩＯ　ＡＲＭＡＮＩ」はイタリアの服飾デザイナーであり、「ＡＲＭＡＮＩ」、「アルマーニ」とも略称され、また同人のデザインした商品は、「紳士服、婦人服、ジャケット、ネクタイ、帽子、革製バッグ、革小物、ベルト、靴、香水」など広範囲に及び、これらの商品はファッション関連商品ということができる。そして、これらの商品は、「ＧＩＯＲＧＩＯ　ＡＲＭＡＮＩ」、「ジョルジョ・アルマーニ」、「ジョルジオ　アルマーニ」の各文字からなる商標（ブランド）（以下「ＡＲＭＡＮＩ」の商標という。）を使用した商品として紹介され、わが国においては、遅くとも本願商標の出願時（平成７年１２月１５日）までには、これらの商品の取引者、需要者の間において広く認識され、その状態は現在も継続しているものと認められる。
　また、前記の職権による証拠調べをした、１９９０年株式会社研究社発行「英和商品名辞典」「Ｇｉｏｒｇｉｏ　Ａｒｍａｎｉ（ジョルジョアルマーニ）」の項の「・・・近年、価格帯を少し低めに設定したブランドＥｍｐｏｒｉｏ　Ａｒｍａｎｉを市場化しており人気を得ている。」との記載、１９８８年１１月２４日株式会社マガジンハウス発行「ｈａｎａｋｏ」における「憧憬のアルマーニ」の掲載記事、「一歩手前の人へ。普及版デフュージョンブランド、エンポリオ。」の見出しのもと「ジョルジオ　アルマーニが大人のステイタスだとしたら、エンポリオはその一歩手前の若者たちのために作られたディフュージョン（普及版）ライン。エンポリオ＝市場の名のとおり、幅広いアイテム（スポーツウェアからイブニングまで）を手頃な価格で提供。・・・」との記事、工業所有権情報館備え付け「外国周知商標（伊編）」、「外国ブランド権利者名簿」によれば、「ＧＩＯＲＧＩＯ　ＡＲＭＡＮＩ」のほかに、ディフュージョンブランド（普及版ブランド）として、「ＥＭＰＯＲＩＯ　ＡＲＭＡＮＩ」のブランドを、「ジョルジョ　アルマーニ　ジャパン株式会社」が、「ブラウス、コート、パンツ、ジーンズ、ブローチ、帽子、シューズ、バッグ」等の商品について使用し、これも取引者、需要者の間に広く知られているものと認められる。
３　商品の出所の混同について
　本願商標は、前記のとおり、「ＦＲＡＮＣＯＡＲＭＡＮＩ」の文字を書してなるものである。そして、これはその全体が１２文字であり、これより生ずる「フランコアルマーニ」の称呼も長音を含めて９音であり、商標としてもまた称呼としてもやや冗長なものといえる。さらに、その全体の「ＦＲＡＮＣＯＡＲＭＡＮＩ」が、一般に親しまれた特定の熟語を表すものであるとか、特定の人名を表すものとして知られているとかの事情は認められない。
　一方、前認定のとおり「ＡＲＭＡＮＩ」の商標は、ファッション関連商品について取引者、需要者の間において広く認識されているものであり、また、そのディフュージョンブランドとして「ＥＭＰＯＲＩＯ　ＡＲＭＡＮＩ」を使用し、これもまた広く知られているものであること、「ＧＩＯＲＧＩＯ　ＡＲＭＡＮＩ」、「ジョルジオ・アルマーニ」は、イタリアの服飾デザイナーとして著名であり、「アルマーニ」とも略称されていること、本願商標の指定商品は、「原革，原皮，なめし皮，毛皮，革ひも，かばん類，袋物，携帯用化粧道具入れ，かばん金具，がま口口金，傘，ステッキ，つえ，つえ金具，つえの柄，乗馬用具，愛玩動物用被服類」等のファッション関連商品といえるものであることよりすれば、本願商標がこれらの商品に使用された場合には、取引者、需要者は、前記著名な「ＧＩＯＲＧＩＯ　ＡＲＭＡＮＩ」の商標に関連する別ブランドであるのではないかなどと連想、想起し、その商品が「ジョルジオアルマーニ」又は同人と組織的、経済的に何らかの関係がある者の業務に係る商品であるかのように、商品の出所について混同を生ずるおそれがあるといわなければならない。
　そして、この混同を生ずるおそれは、本願商標登録出願時（平成７年１２月１５日）から現在においても継続しているものと認められる。
４　請求人の主張について
（ア）請求人は、本願商標の一部に「ＡＲＭＡＮＩ」の文字が含まれていることは確かであるが、ファッション関係のデザイナーやブランドの場合、他人の別商標であるにもかかわらず、姓か名のどちらか一方が同一の例は珍しくないものである旨、また、姓か名のどちらか一方を強調するのは適当でないと主張する。
　しかし、デザイナーなどの姓か名のどちらか一方が同一の例は珍しくないとしても、請求人が示している例は、いずれもデザイナーとしてその名が知られており、別人の氏名であることが明らかなものである。
　これに対し、本願商標は、これを構成する文字全体をもって特定のデザイナーの氏名として周知であるなどの事情は認められないものである。
（イ）請求人は、「ＶＡＬＥＮＴＩＮＯ」がイタリア人のありふれた名前であるように、「ＡＲＭＡＮＩ」も特定のデザイナーと決めつけることはできず、特許庁の過去の審査、審決例でも本願商標のような構成文字の商標が一体のものとして判断された例が多い旨主張する。
　しかし、「ＡＲＭＡＮＩ」がイタリアでありふれた名前であってもわが国においてありふれた名前であるとは認められないし、「ＡＲＭＡＮＩ」の文字を含む「ＡＲＭＡＮＩの商標」は、それがイタリアでの一般的なありふれた名前であるかどうかに関係なく、上記認定のとおり、わが国においてファッション関連商品に使用された結果、取引者、需要者に広く認識されている商標といえるものである。
　また、「ＡＲＭＡＮＩ」や「アルマーニ」の文字を含む商標が他に存在するとしても、それらの商標と本願商標とは、大多数がその構成が相違するし、本願商標のように商標が同一の事例であったとしても、登録適格の判断時点が異なるものであり、事案を異にするものである。さらに、それらの商標が「ジョルジオ　アルマーニ　ジャパン株式会社」によって使用される「ＡＲＭＡＮＩの商標」と明確に区別されていると認めるに足りる証拠はなく、むしろ、上記認定のとおり、「ＡＲＭＡＮＩの商標」と何らかの関連性のあるものと誤解している可能性も否定できないというべきである。
（ウ）請求人は、「ＧＩＯＲＧＩＯ　ＡＲＭＡＮＩ（ジョルジョ・アルマーニ）」は、その関連ブランド「ＥＭＰＯＲＩＯ　ＡＲＭＡＮＩ（エンポリオ・アルマーニ）」を含めて「ＡＲＭＡＮＩ（アルマーニ）」単独の商標の使用はしていないから、本願商標は商品の出所の混同は生じないと主張する。
　しかし、本願商標が他人の商品と混同を生ずるおそれがある理由は、本願商標に接する取引者、需要者が「ＧＩＯＲＧＩＯ　ＡＲＭＡＮＩ」の商標と関連性のある兄弟ブランドであるかのように連想、想起することによるものであって、デザイナーの「ＧＩＯＲＧＩＯ　ＡＲＭＡＮＩ」が、「ＡＲＭＡＮＩ」の商標を単独で使用していないかどうかとは直接関係のないものである。
　そうしてみると、請求人の主張は根拠のないものであって、いずれも採用できない。
　
５　結び
　以上のとおり、本願商標は、商標法第４条第１項第１５号に該当するものであるから、同様の理由により拒絶した原査定は、取り消すべき限りでない。
　よって、結論のとおり審決する。